(57)【要約】【課題】管制運転が行われる場合に、乗りかご内の乗客が容易に理解できる態様で有用な情報を提供することが可能なかご内表示システム及びかご内表示制御装置を提供することにある。【解決手段】実施形態によれば、乗客が乗車する乗りかご内に設けられている表示装置と、当該表示装置と接続される表示制御装置とを備えるかご内表示システムにおいて、表示制御装置は、管制運転時におけるエレベータの運転状況を示す運転状況情報を受信する受信手段と、当該受信された運転状況情報によって示されるエレベータの運転状況に応じた乗客に対する有用情報を表すピクトグラムを表示装置に表示する表示処理手段とを含むことを特徴とするかご内表示システムが提供される。【選択図】図２
2017124904.tif 000002
【特許請求の範囲】
【請求項１】
乗客が乗車する乗りかご内に設けられている表示装置と、当該表示装置と接続される表示制御装置とを備えるかご内表示システムにおいて、
前記表示制御装置は、
管制運転時におけるエレベータの運転状況を示す運転状況情報を受信する受信手段と、
前記受信された運転状況情報によって示されるエレベータの運転状況に応じた前記乗客に対する有用情報を表すピクトグラムを前記表示装置に表示する表示処理手段と
を含む
ことを特徴とするかご内表示システム。
【請求項２】
エレベータの運転状況の各々に応じた有用情報を表すピクトグラムを予め格納する格納手段を具備し、
前記表示処理手段は、前記格納手段に格納されている前記受信された運転状況情報によって示されるエレベータの運転状況に応じた有用情報を表すピクトグラムを表示する
ことを特徴とする請求項１記載のかご内表示システム。
【請求項３】
前記表示処理手段は、前記有用情報を表す複数の言語のテキストメッセージを前記表示装置に表示することを特徴とする請求項１記載のかご内表示システム。
【請求項４】
前記ピクトグラムが前記表示装置に表示される場合、前記有用情報を表す複数の言語の音声メッセージを出力する出力手段を更に具備する請求項１記載のかご内表示システム。
【請求項５】
前記表示装置は、前記乗りかご内の第１の領域に設けられている第１の表示装置と、前記第１の領域とは異なる第２の領域に設けられている第２の表示装置とを備え、
前記表示制御装置は、前記第１の表示装置と接続される第１の表示制御装置と、前記第２の表示装置と接続される第２の表示制御装置とを備え、
前記第１の表示制御装置は、
前記運転状況情報を受信する第１の受信手段と、
前記受信された運転状況情報によって示されるエレベータの運転状況に応じた前記乗客に対する有用情報を表す第１の複数の言語の第１のテキストメッセージを前記第１の表示装置に表示する第１の表示処理手段と
を含み、
前記第２の表示制御装置は、
前記運転状況情報を受信する第２の受信手段と、
前記受信された運転状況情報によって示されるエレベータの運転状況に応じた前記乗客に対する有用情報を表す第２の複数の言語の第２のテキストメッセージを前記第２の表示装置に表示するとともに、前記有用情報を表すピクトグラムを前記第２の表示装置に表示する第２の表示処理手段と
を含む
ことを特徴とする請求項１記載のかご内表示システム。
【請求項６】
前記第１の表示制御装置は、前記有用情報を表す前記第１の複数の言語の音声メッセージを出力する出力手段を更に具備することを特徴とする請求項５記載のかご内表示システム。
【請求項７】
前記ピクトグラムは、前記音声メッセージに対応する第１の複数の言語以外の第２の複数の言語の第２のテキストメッセージが表示される第２の表示装置に表示されることを特徴とする請求項６記載のかご内表示システム。
【請求項８】
前記第１の複数の言語は、少なくとも日本語を含み、
前記第２の複数の言語は、前記第１の複数の言語以外の言語を含む
ことを特徴とする請求項５記載のかご内表示システム。
【請求項９】
前記第２の表示装置及び第２の表示制御装置は、前記第１の表示装置及び前記第１の表示制御装置を備える既存のかご内表示システムに増設されることを特徴とする請求項５記載のかご内表示システム。
【請求項１０】
前記表示処理手段は、前記ピクトグラムに代えて、前記有用情報を表すアニメーションを前記表示装置に表示する請求項１記載のかご内表示システム。
【請求項１１】
乗客が乗車する乗りかご内に設けられている表示装置と接続されるかご内表示制御装置において、
管制運転時におけるエレベータの運転状況を示す運転状況情報を受信する受信手段と、
前記受信された運転状況情報によって示されるエレベータの運転状況に応じた前記乗客に対する有用情報を表すピクトグラムを前記表示装置に表示する表示処理手段と
を具備することを特徴とするかご内表示制御装置。
【発明の詳細な説明】
【技術分野】
【０００１】
本発明の実施形態は、かご内表示システム及びかご内表示制御装置に関する。
【背景技術】
【０００２】
近年、日本には多くの外国人観光客が訪れており、当該外国人によってエレベータが使用される機会が増えている。
【０００３】
一般的に、エレベータの基本操作は万国共通であるため、当該エレベータの使用方法等に関しての説明は不要である場合が多い。
【先行技術文献】
【特許文献】
【０００４】
【特許文献１】実公昭６２−２５４９５号公報
【特許文献２】特許第４５８５８４４号公報
【発明の概要】
【発明が解決しようとする課題】
【０００５】
ところで、例えば地震、火災またはエレベータの故障等が発生した場合には、乗りかご内の乗客を避難させるために、エレベータの管制運転が行われる。
【０００６】
しかしながら、エレベータの管制運転について知識のある利用者は少ないため、当該管制運転が行われる場合、乗りかご内に設けられている表示装置には例えば乗客が取るべき行動等を含む有用な情報が表示される。これにより、乗りかご内の乗客は速やかに適切な行動を取ることができる。
【０００７】
しかしながら、上記した有用な情報が日本語（のテキストメッセージ）で表示されている場合には、外国人は当該情報の内容を理解することができないため、適切な行動を取ることができない場合がある。
【０００８】
したがって、エレベータの管制運転時に外国人を含む全ての乗客が有用な情報を得ることができるようにすることが望まれている。
【０００９】
そこで、本発明が解決しようとする課題は、管制運転が行われる場合に、乗りかご内の乗客が容易に理解できる態様で有用な情報を提供することが可能なかご内表示システム及びかご内表示制御装置を提供することにある。
【課題を解決するための手段】
【００１０】
実施形態によれば、乗客が乗車する乗りかご内に設けられている表示装置と、当該表示装置と接続される表示制御装置とを備えるかご内表示システムにおいて、前記表示制御装置は、管制運転時におけるエレベータの運転状況を示す運転状況情報を受信する受信手段と、前記受信された運転状況情報によって示されるエレベータの運転状況に応じた前記乗客に対する有用情報を表すピクトグラムを前記表示装置に表示する表示処理手段とを含むことを特徴とするかご内表示システムが提供される。
【図面の簡単な説明】
【００１１】
【図１】実施形態に係るかご内表示システムを含むエレベータシステムの構成の一例を示す図。
【図２】かご内表示システムを構成する表示制御装置の機能構成の一例を示すブロック図。
【図３】主表示制御装置に含まれる格納部のデータ構造の一例を示す図。
【図４】副表示制御装置に含まれる格納部のデータ構造の一例を示す図。
【図５】主表示制御装置の処理手順を示すフローチャート。
【図６】副表示制御装置の処理手順を示すフローチャート。
【図７】乗りかごが最寄階に停車することを表すピクトグラムの一例を示す図。
【図８】ドアが開いたら降車することを表すピクトグラムの一例を示す図。
【図９】非常呼びボタンを押下することを表すピクトグラムの一例を示す図。
【図１０】呼び出し中であることを表すピクトグラムの一例を示す図。
【図１１】通話が可能であることを表すピクトグラムの一例を示す図。
【発明を実施するための形態】
【００１２】
以下、図面を参照して、実施形態について説明する。
【００１３】
図１は、本実施形態に係るかご内表示システムを含むエレベータシステムの構成を示す。
【００１４】
図１に示すように、エレベータシステムは、エレベータ全体の制御を行うエレベータ制御装置１０を備える。エレベータ制御装置１０は、制御盤と称され、利用者が乗車する乗りかご２０が昇降動作する昇降路の上部（図示しない機械室）等に配置される。エレベータ制御装置１０は、ホール呼び及びかご呼びに応じてエレベータ（乗りかご２０）を昇降動作させる通常運転に加えて、例えば地震、火災またはエレベータの故障等の際（つまり、非常時）に乗りかご２０内の乗客を避難させるようにエレベータを動作させる管制運転を行う機能を有している。
【００１５】
なお、図１においては省略されているが、エレベータシステムにおいては、昇降路内に乗りかご２０及びカウンタウェイト（釣り合い錘）が設けられており、それぞれガイドレールに昇降動作可能に支持されている。
【００１６】
また、昇降路の上部には、エレベータ制御装置１０と接続される巻上げ機が設置されている。巻上げ機には、一端が乗りかご２０と接続され、他端がカウンタウエイトと接続されたメインロープが巻き架けられている。
【００１７】
エレベータシステムにおいては、エレベータ制御装置１０の制御に基づいて巻上げ機が駆動されることによって、メインロープに接続された乗りかご２０（及びカウンタウエイト）を昇降動作させることができる。
【００１８】
また、本実施形態において、エレベータシステムには、例えば複数の液晶インジケータを有するかご内表示システム３０が設けられている。図１に示す例では、かご内表示システム３０は、２つの表示制御装置３１ａ及び３１ｂと、２つの表示装置３２ａ及び３２ｂとを備える。
【００１９】
具体的には、表示制御装置３１ａ及び３１ｂは、それぞれエレベータ制御装置１０に接続されている。また、この２つの表示制御装置３１ａ及び３１ｂは、乗りかご２０内に配置されている液晶インジケータ（液晶モニタ）である表示装置３２ａ及び３２ｂとそれぞれ接続される。表示制御装置３１ａ及び３１ｂは、例えば表示装置３２ａ及び３２ｂそれぞれの背面に位置し、当該表示装置３２ａ及び３２ｂの表示（内容）を制御する。
【００２０】
なお、表示装置３２ａは、例えば乗りかご２０内のかごドアの右側の領域（第１の領域）に設けられており、表示装置３２ｂは、当該乗りかご２０内のかごドアの左側の領域（第２の領域）に設けられている。表示装置３２ａ及び３２ｂは、図１に示す例ではかご内操作盤に取り付けられているが、当該表示装置３２ａ及び３２ｂ単体でかご内（のかご内操作盤とは異なる位置）に取り付けられていてもよい。
【００２１】
図２は、かご内表示システム３０を構成する表示制御装置の機能構成を示すブロック図である。図１において説明したように、本実施形態に係るかご内表示システム３０は２つの表示制御装置３１ａ及び３１ｂを備えるが、図２においては表示制御装置３１ａの機能構成について説明する。
【００２２】
図２に示すように、表示制御装置３１ａは、運転状況受信部１０１、格納部１０２、制御部１０３、表示処理部１０４及び音声出力部１０５を含む。
【００２３】
運転状況受信部１０１は、エレベータ制御装置１０によって制御される例えば管制運転時におけるエレベータの運転状況を示す情報（以下、運転状況情報と表記）を、当該エレベータ制御装置１０から受信する。なお、エレベータの運転状況には、例えば乗りかご２０を最寄階に停止させるための動作中であることまたは戸開動作中であること等が含まれる。
【００２４】
格納部１０２は、管制運転時におけるエレベータの運転状況の各々に対応づけて当該運転状況に応じて乗りかご２０内の乗客に提供すべき有用な情報（以下、有用情報と表記）が予め格納（登録）されている。この有用情報には、例えば管制運転時に乗客等が取るべき行動（を指示する情報）等が含まれる。格納部１０２に格納されている有用情報は、後述するように例えばテキストメッセージ、音声メッセージ及びピクトグラム等の態様で乗客に提供される。なお、ピクトグラムは、例えば文字を使用しない図形等によって表される視覚記号の１つである。
【００２５】
制御部１０３は、運転状況受信部１０１によって受信された運転状況情報に基づいて、乗りかご２０内の乗客に対する有用情報（つまり、現在のエレベータの運転状況に応じた有用情報）を格納部１０２から取得する。
【００２６】
表示処理部１０４は、制御部１０３による制御のもと、制御部１０３によって取得された有用情報を表すテキストメッセージ及びピクトグラムを表示装置３２ａに表示する。この場合、表示処理部１０４、例えば２以上の言語のテキストメッセージを表示してもよい。
【００２７】
音声出力部１０５は、制御部１０３による制御のもと、制御部１０３によって取得された有用情報を表す音声メッセージを出力する。音声出力部１０５は、例えば２以上の言語の音声メッセージを出力してもよい。
【００２８】
ここでは、表示制御装置３１ａについて説明したが、表示制御装置３１ｂについても表示制御装置３１ａと同様の機能構成を有するため、その詳しい説明を省略する。また、表示制御装置３１ｂの機能構成について言及する場合には、適宜、図２を用いて説明する。
【００２９】
ここで、上記したように乗りかご２０内に複数の表示装置（ここでは、２つの表示装置３２ａ及び３２ｂ）が設けられている場合、当該表示装置３２ａ及び３２ｂの各々には上記した有用情報を異なる態様で表示することが可能である。
【００３０】
この場合、表示制御装置３１ａに含まれる格納部１０２には表示装置３２ａに表示されるべき態様の情報が格納されていればよいし、表示制御装置３１ｂに含まれる格納部１０２には、表示装置３２ｂに表示されるべき態様の情報が格納されていればよい。すなわち、本実施形態においては、表示装置３２ａ及び３２ｂに表示される情報の態様に応じて、表示制御装置３１ａに含まれる格納部１０２と表示制御装置３１ｂに含まれる格納部１０２との内容（データ構造）が異なっていてもよい。
【００３１】
以下、上記したように表示装置３２ａ及び３２ｂに異なる態様で有用情報が表示される場合における表示制御装置３１ａ及び３１ｂの各々に含まれる格納部１０２のデータ構造の一例について説明する。
【００３２】
ここでは、表示装置３２ａには、有用情報を表す日本語及び英語（第１の複数の言語）によるテキストメッセージが表示されるものとして説明する。一方、表示装置３２ｂには、有用情報を表す日本語及び英語以外の言語（第２の複数の言語）によるテキストメッセージ及びピクトグラムが表示されるものとして説明する。また、日本語及び英語以外の言語としては例えば中国語及び韓国語が使用されるものとする。
【００３３】
以下の説明では、便宜的に、日本語及び英語によるテキストメッセージが表示される表示装置３２ａ及び当該表示装置３２ａと接続される表示制御装置３１ａを主表示装置３２ａ及び主表示制御装置３１ａと称し、中国語及び韓国語によるテキストメッセージ及びピクトグラムが表示される表示装置３２ｂ及び当該表示装置３２ｂと接続される表示制御装置３１ｂを副表示装置３２ｂ及び副表示制御装置３１ｂと称する。
【００３４】
まず、図３は、主表示制御装置３１ａに含まれる格納部１０２のデータ構造の一例を示す。上記したように、主表示装置３２ａに日本語及び英語によるメッセージが表示されるものとすると、当該主表示装置３２ａと接続される主表示制御装置３１ａに含まれる格納部１０２には、図３に示すように運転状況に対応づけてテキストメッセージ（日本語）及びテキストメッセージ（英語）が格納されている。なお、図３に示す例において、格納部１０２には、音声メッセージ（日本語）及び音声メッセージ（英語）が更に格納されている。
【００３５】
運転状況は、管制運転時におけるエレベータの運転状況を示す。テキストメッセージ（日本語）は、対応づけられている運転状況に応じた日本語のメッセージ（テキスト）である。テキストメッセージ（英語）は、対応づけられている運転状況に応じた英語のメッセージ（テキスト）である。
【００３６】
また、音声メッセージ（日本語）は、対応づけられている運転状況に応じた日本語のメッセージ（音声）である。音声メッセージ（英語）は、対応づけられている運転状況に応じた英語のメッセージ（音声）である。これらの音声メッセージは、上記したように主表示装置３２ａに表示されるテキストメッセージとは異なり、例えば乗りかご２０内のスピーカ等を介して出力される。
【００３７】
図３に示す例では、主表示制御装置３１ａに含まれる格納部１０２には、運転状況「状況１」に対応づけてテキストメッセージ（日本語）「テキストメッセージ１．１」、テキストメッセージ（英語）「テキストメッセージ１．２」、音声メッセージ（日本語）「音声メッセージ１．１」及び音声メッセージ（英語）「音声メッセージ１．２」が格納されている。これによれば、管制運転時におけるエレベータの運転状況が「状況１」である場合には、日本語のテキストメッセージである「テキストメッセージ１．１」及び英語のテキストメッセージである「テキストメッセージ１．２」が主表示装置３２ａに表示され、日本語の音声メッセージである「音声メッセージ１．１」及び英語の音声メッセージである「音声メッセージ１．２」がスピーカから出力されることが示されている。
【００３８】
次に、図４は、副表示制御装置３１ｂに含まれる格納部１０２のデータ構造の一例を示す。上記したように、副表示装置３２ｂに中国語及び韓国語によるテキストメッセージ及びピクトグラムが表示されるものとすると、当該副表示装置３２ｂと接続される副表示制御装置３１ｂに含まれる格納部１０２には、図４に示すように、運転状況に対応づけてテキストメッセージ（中国語）、テキストメッセージ（韓国語）及びピクトグラムが格納されている。
【００３９】
運転状況は、上記した図３において説明したように、管制運転時におけるエレベータの運転状況を示す。テキストメッセージ（中国語）は、対応づけられている運転状況に応じた中国語のメッセージ（テキスト）である。テキストメッセージ（韓国語）は、対応づけられている運転状況に応じた韓国語のメッセージ（テキスト）である。また、ピクトグラムは、対応づけられている運転状況に応じたピクトグラムである。
【００４０】
図４に示す例では、副表示制御装置３１ｂに含まれる格納部１０２には、運転状況「状況１」に対応づけてテキストメッセージ（中国語）「テキストメッセージ１．３」、テキストメッセージ（韓国語）「テキストメッセージ１．４」及びピクトグラム「ピクトグラム１」が格納されている。これによれば、エレベータの運転状況が「状況１」である場合には、中国語のテキストメッセージである「テキストメッセージ１．３」、韓国語のテキストメッセージである「テキストメッセージ１．４」及び「ピクトグラム１」が副表示装置３２ｂに表示されることが示されている。
【００４１】
なお、図３及び図４において、同一の運転状況に対応づけられているテキストメッセージ、音声メッセージ及びピクトグラム（例えば、状況１に対応づけられているテキストメッセージ１．１〜１．４、音声メッセージ１．１及び１．２、及びピクトグラム１）は、当該運転状況において乗りかご２０内の乗客にとって有用な同一の情報（内容）を表している。これによれば、例えばエレベータの運転状況に応じた有用情報（例えば、乗客が取るべき行動及び乗りかご２０の動作に関する状況等）を、４か国語（日本語、英語、中国語及び韓国語）のテキストメッセージとして表示することができ、更に２か国語（日本語及び英語）の音声メッセージとして出力することができる。また、これらの４つの言語を使用可能でない地域（国）の乗客に対しては、上記した有用情報をピクトグラムとして表示することができる。
【００４２】
ここでは、運転状況「状況１」に対応づけられているテキストメッセージ、音声データメッセージ及びピクトグラムについて説明したが、当該テキストメッセージ、音声メッセージ及びピクトグラムは、管制運転時のエレベータの運行状況毎に予め用意されているものとする。
【００４３】
なお、管制運転は迅速な行動等が必要とされる非常時等に行われる場合が多いが、例えば４か国語の音声メッセージを出力するためには時間がかかることが想定される。この場合、ある動作中（例えば、乗りかご２０を最寄階に停止させる動作中）であることを表す４か国語の音声メッセージを全て出力する前に、次の動作（例えば、戸開動作）が開始されてしまうような事態が生じ得る。これは、乗客の混乱を招く原因となる。このため、音声メッセージに関しては、エレベータシステム（かご内表示システム３０）が使用される国における主要な２つの言語の音声メッセージが出力されるものとする。本実施形態においては、エレベータシステム（かご内表示システム３０）が例えば日本国内で使用される場合を想定しており、主要な言語として日本語及び英語の音声メッセージが出力されるものとする。
【００４４】
ここで、本実施形態において、音声メッセージは表示制御装置３１ａに含まれる格納部１０２に格納されているため、当該音声メッセージは、表示制御装置３１ａ（音声出力部１０５）から出力され、表示制御装置３１ｂからは出力されない。この場合、表示制御装置３１ｂは音声出力部１０５を含まない構成であってもよい。
【００４５】
すなわち、本実施形態においては、表示制御装置３１ａ及び３１ｂによって乗客に提供される情報の態様に応じて、当該表示制御装置３１ａ及び３１ｂの機能構成は適宜変更（省略または追加）されても構わない。
【００４６】
なお、図３及び図４に示すデータ構造は一例であり、エレベータシステムが使用される国（地域）に応じて、異なる言語のテキストメッセージ及び音声メッセージが用意されていても構わない。また、多数の言語のテキストメッセージ及び音声メッセージを用意しておくことによって、エレベータシステム（かご内表示システム３０）が使用される状況または環境等に応じて、適切な言語を選択することができるような構成としても構わない。
【００４７】
次に、管制運転時におけるかご内表示システム３０の動作について説明する。まず、図５のフローチャートを参照して、主表示制御装置３１ａの処理手順について説明する。ここでは、主表示制御装置３１ａに含まれる格納部１０２のデータ構造は、図３において説明した通りであるものとする。
【００４８】
ここで、エレベータシステムにおいて、例えば地震、火災またはエレベータの故障等（以下、単に地震等と表記）が発生した場合、エレベータ制御装置１０は、乗りかご２０の昇降動作等を制御することによってエレベータの管制運転を行う。なお、エレベータ制御装置１０は地震等を検知する機能を有しており、管制運転は、当該機能によって地震等が検知された際に行われる。
【００４９】
管制運転を行う場合、エレベータ制御装置１０は、当該管制運転におけるエレベータの運転状況（を示す運転状況情報）を当該運転状況の変化に応じてかご内表示システム３０に送信（通知）するものとする。
【００５０】
ここで、運転状況情報について具体的に説明する。エレベータ制御装置１０は、管制運転時には、例えば乗りかご２０を最寄階に停止させて、当該乗りかご２０内の乗客を避難させるためにドア（かごドア及びホールドア）を開けるような運転を行う。この場合、エレベータ制御装置１０は、乗りかご２０を最寄階に停止させることを示す運転状況情報を管制運転の開始後にかご内表示システム３０に送信する。また、エレベータ制御装置１０は、乗りかご２０が最寄階に停止した場合、ドアが開くことを示す運転状況情報をかご内表示システム３０に送信する。
【００５１】
主表示制御装置３１ａに含まれる運転状況受信部１０１は、上記したようにエレベータ制御装置１０によって送信された運転状況情報を受信する（ステップＳ１）。
【００５２】
主表示制御装置３１ａに含まれる制御部１０３は、運転状況受信部１０１によって受信された運転状況情報によって示される運転状況に応じた日本語及び英語のテキストメッセージを取得する（ステップＳ２）。この場合、制御部１０３は、運転状況情報によって示される運転状況に対応づけて格納部１０２に格納されているテキストメッセージ（日本語）及びテキストメッセージ（英語）を取得する。
【００５３】
また、制御部１０３は、運転状況受信部１０１によって受信された運転状況情報によって示される運転状況に応じた日本語及び英語の音声メッセージを取得する（ステップＳ３）。この場合、制御部１０３は、運転状況情報によって示される運転状況に対応づけて格納部１０２に格納されている音声メッセージ（日本語）及び音声メッセージ（英語）を取得する。
【００５４】
次に、主表示制御装置３１ａに含まれる表示処理部１０４は、ステップＳ２において取得された日本語及び英語のテキストメッセージを主表示装置３２ａに表示する（ステップＳ４）。この場合、日本語のテキストメッセージ及び英語のテキストメッセージは、同一の内容を表すメッセージであることが乗客に認識されるように例えば並べて表示されるものとする。
【００５５】
また、主表示制御装置３１ａに含まれる音声出力部１０５は、ステップＳ３において取得された日本語及び英語の音声メッセージを例えばスピーカ等を介して出力する（ステップＳ５）。この場合、例えば日本語の音声メッセージが出力された後に、英語の音声メッセージが出力されるものとする。
【００５６】
上記した図５に示す主表示制御装置３１ａの処理によれば、主表示装置３２ａには日本語及び英語のテキストメッセージが表示されるとともに、日本語及び英語の音声メッセージが乗りかご２０内のスピーカから出力される。
【００５７】
具体的には、ステップＳ１において上記した乗りかご２０を最寄階に停止させることを示す運転状況情報が受信された場合には、主表示装置３２ａには例えば「最寄階にとまります。」のメッセージが日本語及び英語で表示され、同様のメッセージが日本語及び英語の音声で出力される。
【００５８】
また、ステップＳ１において上記したドアが開くことを示す運転状況情報が受信された場合には、主表示装置３２ａには例えば「ドアが開いたら足元に注意して降りてください。」のメッセージが日本語及び英語で表示され、同様のメッセージが日本語及び英語の音声で出力される。
【００５９】
これによれば、乗りかご２０内の乗客のうち、使用言語（母国語）が日本語または英語である乗客は、主表示装置３２ａに表示されているテキストメッセージを確認することにより、管制運転時におけるエレベータの運行状況に応じた乗客に対する有用情報の内容（つまり、乗客が取るべき行動や乗りかご２０の動作に関する状況等）を把握することができる。また、表示装置３２ａを視認できないような場合であっても、スピーカ等から出力される音声メッセージを聞くことにより、有用情報の内容を把握することができる。なお、主表示装置３２ａには、地震等が発生した旨のテキストメッセージやマーク等が更に表示されても構わない。
【００６０】
次に、図６のフローチャートを参照して、副表示制御装置３１ｂの処理手順について説明する。ここでは、副表示制御装置３１ｂに含まれる格納部１０２のデータ構造は、図４において説明した通りであるものとする。
【００６１】
この場合、副表示制御装置３１ｂに含まれる運転状況受信部１０１は、エレベータ制御装置１０によって送信された運転状況情報を受信する（ステップＳ１１）。このステップＳ１１において運転状況受信部１０１によって受信される運転状況情報は、上記した図５に示すステップＳ１において主表示制御装置３１ａ（に含まれる運転状況受信部１０１）によって受信された運転状況情報と同一の情報である。
【００６２】
副表示制御装置３１ｂに含まれる制御部１０３は、運転状況受信部１０１によって受信された運転状況情報によって示される運転状況に応じた中国語及び韓国語のテキストメッセージを取得する（ステップＳ１２）。この場合、制御部１０３は、運転状況情報によって示される運転状況に対応づけて格納部１０２に格納されているテキストメッセージ（中国語）及びテキストメッセージ（韓国語）を取得する。
【００６３】
また、制御部１０３は、運転状況受信部１０１によって受信された運転状況情報によって示される運転状況に応じたピクトグラムを取得する（ステップＳ１３）。この場合、制御部１０３は、運転状況情報によって示される運転状況に対応づけて格納部１０２に格納されているピクトグラムを取得する。
【００６４】
次に、副表示制御装置３１ｂに含まれる表示処理部１０４は、ステップＳ１２において取得された中国語及び韓国語のテキストメッセージを副表示装置３２ｂに表示する（ステップＳ１４）。この場合、中国語のテキストメッセージ及び韓国語のテキストメッセージは、同一の内容を表すメッセージであることが乗客に認識されるように例えば並べて表示されるものとする。
【００６５】
また、表示処理部１０４は、ステップＳ１３において取得されたピクトグラムを副表示装置３２ｂに表示する（ステップＳ１５）。すなわち、本実施形態において、ピクトグラムは、上記した主表示制御装置３１ａ（音声出力部１０５）によって出力される音声メッセージの言語（ここでは、日本語及び英語）以外の言語が表示される表示装置（ここでは、副表示装置３２ｂ）に表示される。この場合、ピクトグラムは、ステップＳ１４において表示されたテキストメッセージと同様の内容を表すものであることが乗客に認識されるように、当該テキストメッセージの近傍に表示される。
【００６６】
上記した図６に示す副表示制御装置３１ｂの処理によれば、副表示装置３２ｂには、中国語及び韓国語のテキストメッセージとともにピクトグラムが表示される。
【００６７】
具体的には、ステップＳ１１において上記した乗りかご２０を最寄階に停止させることを示す運転状況情報が受信された場合には、副表示装置３２ｂには、例えば「最寄階にとまります。」のメッセージが中国語及び韓国語で表示され、更に当該メッセージと同様の内容を表すピクトグラムが表示される。なお、図７は、この場合におけるピクトグラム（つまり、乗りかご２０が最寄階に停車することを表すピクトグラム）の一例を示す。
【００６８】
また、ステップＳ１１において上記したドアが開くことを示す運転状況情報が受信された場合には、副表示装置３２ｂには、例えば「ドアが開いたら足元に注意して降りてください。」のメッセージが中国語及び韓国語で表示され、更に当該メッセージと同様の内容を表すピクトグラムが表示される。なお、図８は、この場合におけるピクトグラム（つまり、ドアが開いたら降車することを表すピクトグラム）の一例を示す。
【００６９】
これによれば、乗りかご２０内の乗客のうち、使用言語が中国語または韓国語である乗客は、副表示装置３２ｂに表示されているテキストメッセージを確認することにより、管制運転時におけるエレベータの運行状況に応じた乗客に対する有用情報の内容（つまり、乗客が取るべき行動や乗りかご２０の動作に関する状況等）を把握することができる。また、使用言語が上記した４か国語（日本語、英語、中国語及び韓国語）以外の乗客は、副表示装置３２ｂに表示されているピクトグラムを確認することにより、上記の有用情報の内容を把握することができる。
【００７０】
ここで、例えばエレベータの故障が発生した場合には、停止した乗りかご２０内に乗客が閉じ込められるという事故（閉じ込め事故）が発生する場合がある。このような場合には、乗りかご２０内に設けられた表示装置３２ａ及び３２ｂを介して乗客に対して取るべき行動等を指示する必要がある。
【００７１】
この場合、例えば主表示装置３２ａには「非常呼びボタンを押してください。」のメッセージを日本語及び英語で表示し、副表示装置３２ｂには同様のメッセージを中国語及び韓国語で表示することができる。更に、副表示装置３２ｂには、例えば図９に示すような非常呼びボタンを押すことを表すピクトグラムを表示することができる。これによれば、例えば使用言語が日本語、英語、中国語及び韓国語以外の乗客に対しても、取るべき行動を適切に指示することができる。なお、このような指示に従って非常呼びボタンが押下された後は、例えば「呼び出し中です。しばらくお待ちください。」のメッセージとともに図１０に示すような呼び出し中であることを表すピクトグラムが表示されてもよい。更に、外部との通話が可能となった場合には、例えば「通話できます。お話し下さい。」のメッセージとともに図１１に示すような通話が可能であることを表すピクトグラムが表示されてもよい。
【００７２】
上記したように本実施形態においては、管制運転時におけるエレベータの運転状況を示す運転状況情報を受信し、当該受信された運転状況情報によって示されるエレベータの運転状況に応じた乗客に対する有用情報（乗客が取るべき行動及び乗りかご２０の動作に関する状況等）を表すピクトグラムを表示装置３２ｂに表示する。
【００７３】
ここで、表示装置３２ａ及び３２ｂには上記した有用情報を表すテキストメッセージが表示されるが、乗りかご２０内に設けられる表示装置３２ａ及び３２ｂの大きさには制約があるため、全ての言語に対応するテキストメッセージを表示することは困難である。このため、テキストメッセージに用いられている言語を使用言語としない乗客は、当該テキストメッセージの内容を理解することはできない。また、テキストメッセージに用いられている言語を使用言語とする乗客であっても、例えば高齢者等はテキストメッセージを即時に理解することが困難な場合がある。
【００７４】
これに対して、本実施形態においては、上記したように有用情報を表すピクトグラムを表示装置３２ｂに表示することにより、特定の言語のテキストメッセージを理解できない乗客であっても容易に有用情報を得ることが可能となる。すなわち、本実施形態においては、管制運転が行われる場合に、乗りかご内の乗客（例えば、使用言語の異なる世界中の様々な国の人々や高齢者）が容易に理解できる態様で有用な情報を提供することが可能となる。
【００７５】
なお、表示装置３２ｂに表示されるピクトグラムはエレベータの運転状況に応じた有用情報毎に予め用意されているため、当該運転状況に応じて適切なピクトグラムを表示することが可能なる。
【００７６】
また、本実施形態においては、上記したように有用情報を表す複数の言語のテキストメッセージを表示装置３２ａ及び３２ｂに表示することも可能である。これによれば、テキストメッセージの言語を理解できる乗客であれば、ピクトグラムよりも正確な情報を得ることができる。
【００７７】
また、本実施形態においては、有用情報を表す複数の言語の音声メッセージが出力されるため、例えば表示装置３２ａ及び３２ｂを視認できないような状態の場合であっても、音声メッセージの言語を理解できる乗客であれば当該有用情報を得ることが可能となる。
【００７８】
上記したように本実施形態においては、管制運転時におけるエレベータの運転状況に応じた有用情報を表すピクトグラム及びテキストメッセージを表示するとともに、当該有用情報を表す音声メッセージを出力することによって、乗りかご２０内の全ての乗客（利用者）が状況を把握し、適切な行動等を取ることができるため、当該乗客に対して安心感を与えることが可能となる。
【００７９】
なお、本実施形態においては、４か国語（例えば、日本語、英語、中国語及び韓国語）のテキストメッセージが表示装置３２ａ及び３２ｂに表示されるが、音声メッセージの出力には時間を要するため、当該音声メッセージの出力は２か国語（例えば、日本語及び英語）で行われるものとする。
【００８０】
ここで、本実施形態においては、表示装置３２ａ及び３２ｂ（第１の表示装置及び第２の表示装置）と、表示制御装置３１ａ及び３１ｂ（第１の表示制御装置及び第２の表示制御装置）とを備えている。表示制御装置３１ａは、日本語及び英語（第１の複数の言語）で表現されたテキストメッセージ（第１のテキストメッセージ）を表示装置３２ａに表示し、表示制御装置３１ｂは、日本語及び英語以外の言語（第２の複数の言語）で表現されたテキストメッセージ（第２のテキストメッセージ）及びピクトグラムを表示装置３２ｂに表示する。
【００８１】
本実施形態においては、上記したように他の言語より比較的長文となる日本語のテキストメッセージが表示される表示装置３２ａとは異なる表示装置３２ｂにピクトグラムを表示することにより、表示装置３２ａ及び３２ｂの表示量が同等となるように調整されている。
【００８２】
また、本実施形態においては、表示装置３２ａに表示されるテキストメッセージの言語（ここでは、日本語及び英語）の音声メッセージが表示制御装置３１ａから出力される。この場合、ピクトグラムは、音声メッセージに対応する言語以外の言語のテキストメッセージ（ここでは、中国語及び韓国語）が表示される表示装置３２ｂに表示される。換言すれば、ピクトグラムは、音声メッセージの言語以外の言語を使用する乗客が注視すると推測される表示装置３２ｂ側に表示される。ここで、日本語及び英語を使用言語とする乗客は音声メッセージにより有用情報を即時に把握することができるが、日本語及び英語以外の言語を使用言語とする乗客は乗りかご２０内の表示装置を確認しなければ有用情報を得ることはできない。このため、本実施形態においては、上記したように音声メッセージに対応する言語以外の言語のテキストメッセージとピクトグラムとを同一の表示装置３２ｂに表示することによって、日本語及び英語以外の言語を使用言語とする乗客がいずれの表示装置を確認すればよいかが明確であるため、当該乗客は有用情報を即時に把握することが可能となる。
【００８３】
更に、近年ではグローバル化に伴い、例えば日本語及び英語のテキストメッセージ及び音声メッセージに対応するかご内表示システムが普及している。このため、上記した本実施形態に係るかご内表示システム３０は、日本語及び英語のテキストメッセージ及び音声メッセージに対応する既存のかご内表示システム（つまり、表示制御装置３１ａ及び表示装置３２ａから構成されるかご内表示システム）に対して、上記した表示制御装置３１ｂ及び表示装置３２ｂを増設することによっても実現することができる。
【００８４】
なお、本実施形態においては、ピクトグラムが表示されるものとして説明したが、特定の言語を理解することができない乗客に対して有用情報を提供することが可能であればよいため、例えば当該ピクトグラムに代えて当該有用情報を表すアニメーション等が表示装置３２ｂに表示されるような構成であってもよい。
【００８５】
更に、本実施形態においては、管制運転時に有用情報を提供する場合について主に説明したが、通常運転時に例えばドアの開閉等を表すピクトグラムが表示される構成であっても構わない。
【００８６】
また、本実施形態においては、表示制御装置３１ａ及び３１ｂがそれぞれ表示装置３２ａ及び３２ｂの表示を制御するものとして説明したが、例えば１の表示制御装置が当該表示装置３２ａ及び３２ｂの表示を制御するようにしてもよい。更に、上記した格納部１０２が例えばエレベータ制御装置１０に設けられ、当該エレベータ制御装置１０において取得されたテキストメッセージ及びピクトグラム等が表示制御装置３１ａ及び３１ｂを介して表示装置３２ａ及び３２ｂに表示されるような構成とすることも可能である。
【００８７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８８】
１０…エレベータ制御装置、３０…かご内表示システム、３１ａ，３１ｂ…表示制御装置（かご内表示制御装置）、３２ａ，３２ｂ…表示装置、１０１…運転状況受信部、１０２…格納部、１０３…制御部、１０４…表示処理部、１０５…音声出力部。
【図１】
2017124904.tif 000003
【図２】
2017124904.tif 000004
【図３】
2017124904.tif 000005
【図４】
2017124904.tif 000006
【図５】
2017124904.tif 000007
【図６】
2017124904.tif 000008
【図７】
2017124904.tif 000009
【図８】
2017124904.tif 000010
【図９】
2017124904.tif 000011
【図１０】
2017124904.tif 000012
【図１１】
2017124904.tif 000013
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
乗客が乗車する乗りかご内に設けられている表示装置と、当該表示装置と接続される表示制御装置とを備えるかご内表示システムにおいて、
前記表示装置は、前記乗りかご内の第１の領域に設けられている第１の表示装置と、前記第１の領域とは異なる第２の領域に設けられている第２の表示装置とを備え、
前記表示制御装置は、前記第１の表示装置と接続される第１の表示制御装置と、前記第２の表示装置と接続される第２の表示制御装置とを備え、
前記第１の表示制御装置は、
管制運転時におけるエレベータの運転状況を示す運転状況情報を受信する第１の受信手段と、
前記受信された運転状況情報によって示されるエレベータの運転状況に応じた前記乗客に対する有用情報を表す第１の複数の言語の第１のテキストメッセージを前記第１の表示装置に表示する第１の表示処理手段と
を含み、
前記第２の表示制御装置は、
前記運転状況情報を受信する第２の受信手段と、
前記受信された運転状況情報によって示されるエレベータの運転状況に応じた前記乗客に対する有用情報を表す第２の複数の言語の第２のテキストメッセージを前記第２の表示装置に表示するとともに、前記有用情報を表すピクトグラムを前記第２の表示装置に表示する第２の表示処理手段と
を含む
ことを特徴とするかご内表示システム。
【請求項２】
前記第２の表示制御装置は、エレベータの運転状況の各々に応じた有用情報を表すピクトグラムを予め格納する格納手段を含み、
前記第２の表示処理手段は、前記格納手段に格納されている前記受信された運転状況情報によって示されるエレベータの運転状況に応じた有用情報を表すピクトグラムを表示する
ことを特徴とする請求項１記載のかご内表示システム。
【請求項３】
前記第１の表示制御装置は、前記有用情報を表す前記第１の複数の言語の音声メッセージを出力する出力手段を更に具備することを特徴とする請求項１記載のかご内表示システム。
【請求項４】
前記ピクトグラムは、前記音声メッセージに対応する第１の複数の言語以外の第２の複数の言語の第２のテキストメッセージが表示される第２の表示装置に表示されることを特徴とする請求項３記載のかご内表示システム。
【請求項５】
前記第１の複数の言語は、少なくとも日本語を含み、
前記第２の複数の言語は、前記第１の複数の言語以外の言語を含む
ことを特徴とする請求項１記載のかご内表示システム。
【請求項６】
前記第２の表示装置及び第２の表示制御装置は、前記第１の表示装置及び前記第１の表示制御装置を備える既存のかご内表示システムに増設されることを特徴とする請求項１記載のかご内表示システム。
【請求項７】
前記第２の表示処理手段は、前記ピクトグラムに代えて、前記有用情報を表すアニメーションを前記表示装置に表示する請求項１記載のかご内表示システム。
【請求項８】
乗客が乗車する乗りかご内の第１の領域に設けられている第１の表示装置及び前記第１の領域とは異なる第２の領域に設けられている第２の表示装置と接続されるかご内表示制御装置において、
管制運転時におけるエレベータの運転状況を示す運転状況情報を受信する受信手段と、
前記受信された運転状況情報によって示されるエレベータの運転状況に応じた前記乗客に対する有用情報を表す第１の言語の第１のテキストメッセージを前記第１の表示装置に表示する第１の表示処理手段と、
前記受信された運転状況情報によって示されるエレベータの運転状況に応じた前記乗客に対する有用情報を表す第２の言語の第２のテキストメッセージを前記第２の表示装置に表示するとともに、前記有用情報を表すピクトグラムを前記第２の表示装置に表示する第２の表示処理手段と
を具備することを特徴とするかご内表示制御装置。
【手続補正２】
【補正対象書類名】明細書
【補正対象項目名】００１０
【補正方法】変更
【補正の内容】
【００１０】
実施形態によれば、乗客が乗車する乗りかご内に設けられている表示装置と、当該表示装置と接続される表示制御装置とを備えるかご内表示システムにおいて、前記表示装置は、前記乗りかご内の第１の領域に設けられている第１の表示装置と、前記第１の領域とは異なる第２の領域に設けられている第２の表示装置とを備え、前記表示制御装置は、前記第１の表示装置と接続される第１の表示制御装置と、前記第２の表示装置と接続される第２の表示制御装置とを備え、前記第１の表示制御装置は、管制運転時におけるエレベータの運転状況を示す運転状況情報を受信する第１の受信手段と、前記受信された運転状況情報によって示されるエレベータの運転状況に応じた前記乗客に対する有用情報を表す第１の複数の言語の第１のテキストメッセージを前記第１の表示装置に表示する第１の表示処理手段とを含み、前記第２の表示制御装置は、前記運転状況情報を受信する第２の受信手段と、前記受信された運転状況情報によって示されるエレベータの運転状況に応じた前記乗客に対する有用情報を表す第２の複数の言語の第２のテキストメッセージを前記第２の表示装置に表示するとともに、前記有用情報を表すピクトグラムを前記第２の表示装置に表示する第２の表示処理手段とを含むことを特徴とするかご内表示システムが提供される。